(57)【要約】【課題】重機を使用した自動取引装置の盗難を有効に防止することができる盗難防止装置を提供する。【解決手段】店舗建物内に設置された自動取引装置の盗難防止装置であって、建物の床面に設置されたベースボード部と、自動取引装置を囲むように配置したプロテクタ部とを有し、プロテクタ部の少なくとも一部がベースボードの上に設置され、ベースボードと接合されることを特徴とした自動取引装置の盗難防止装置。これにより、重機を使用してもＡＴＭ等の自動取引装置を店舗建物外に引きずり出されることを防止することができる。【選択図】        図２
2004171059.tif 000002
【特許請求の範囲】
【請求項１】
店舗建物内に設置された自動取引装置の盗難防止装置であって、
建物の床面に設置されたベースボード部と、
前記自動取引装置を囲むように配置したプロテクタ部とを有し、
前記プロテクタ部の少なくとも一部がベースボードの上に設置され、該ベースボードと接合されたことを特徴とする自動取引装置の盗難防止装置。
【請求項２】
前記ベースボード部は複数毎の金属板にて構成され、店舗建物内部で前記金属板が接合されることを特徴とする請求項１記載の自動取引装置の盗難防止装置。
【発明の詳細な説明】
【０００１】
【発明の属する技術分野】
本発明は自動取引装置の盗難防止システムに関し、特にショベルカーやブルドーザー等の重機等でＣＤ・ＡＴＭ等の自動取引装置そのものを移動させて破壊、盗難しようとする行為に対して、ＣＤ・ＡＴＭ等の自動取引装置の移動を困難にさせる自動取引装置の盗難防止装置に関する。
【０００２】
【従来の技術】
近年、金融機関や消費者金融、信販会社の無人店舗が著しく普及しており、盗み出した工事用の重機で現金自動預け払い機（ＡＴＭ）などが設置されている無人店舗を壊し、現金を盗み出す事件が発生している。
現金自動預け払い機（ＡＴＭ）は２４時間取引可能で、大量の現金を収容している。そこで、従来は、これらの現金自動預け払い機（ＡＴＭ）にプロテクタ等の補強部材を取り付けて容易に破壊されないようにしていた。（例えば、特許文献１参照）
【０００３】
【特許文献１】
特開平７−１６８９６３
【０００４】
【発明が解決しようとする課題】
しかし、現金自動預け払い機（ＡＴＭ）にプロテクタ等の補強部材を取り付けても、重機によりプロテクタごと店舗の外に引き出され破壊されてしまう。
また、警備会社が異常を受信して、警察に通報し、警察官または警備員が現場に到着するまでには少なくとも数分程度の時間を要するが、上記のように複数人で重機を使用して無人店舗を破壊し、現金自動預け払い機（ＡＴＭ）そのものを店舗より引き出して破壊する犯罪は短時間で行われるため、警察官または警備員が現場に到着すると既に、犯人は窃盗行為を終えて現場より逃走しているという事案が発生している。
そこで、重機を使用して店舗を破壊して短時間で自動取引装置を盗難するという事案に対する盗難防止対策が望まれている。
【０００５】
本発明は、上述の従来の盗難防止対策では防止できなかった重機を使用した自動取引装置の盗難を有効に防止することができる盗難防止装置を提供することを目的とする。
【０００６】
【課題を解決するための手段】
前記目的を達成するために、本発明による店舗建物内に設置された自動取引装置の盗難防止装置は、建物の床面に設置されたベースボード部と、自動取引装置を囲むように配置したプロテクタ部とを有し、プロテクタ部の少なくとも一部がベースボードの上に設置され、ベースボードと接合される。
これにより、重機を使用してもＡＴＭ等の自動取引装置を店舗建物外に引きずり出されることを防止することができる。
また、本発明による盗難防止装置は、ベースボード部が複数毎の金属板にて構成され、店舗建物内部で前記金属板が接合される。
これにより、ベースボードを建物の出入り口から搬入することが可能となり、搬入後は床面全面を覆う程度の広さのベースボードとなって、建物全部を壊さないかぎり外部へ搬出することができなくなる。
【０００７】
【発明の実施の形態】
以下、図を参照して、本発明の実施の形態を詳細に説明する。
図１は、本発明による盗難防止装置が適用された無人店舗の斜視図である。
図２は、ＡＴＭ２と盗難防止装置の分解図である。
図３は、無人店舗の上面から見た平面図である。
１は、現金自動預け払い機（ＡＴＭ）が収容されたブースである。ブース１には、ＡＴＭ２が設置されている他、自動ドア、空調設備、照明設備、監視カメラ、自動運行装置、警備装置、通話装置等が設置されている。
【０００８】
ブース１はＡＴＭを挟んで隔壁５にて客室側１Ａとメンテナンス室側１Ｂに区切られている。顧客は出入り口６から入室してＡＴＭ２の前面の操作パネルを使用して取引を行う。管理要員は客室１Ａ側から隔壁５に設けられたメンテナンス室扉７を開けてメンテナンス室１Ｂに入室してＡＴＭ２の背面から現金の補填等のメンテナンスを行う。
２はＡＴＭで、前面上部に操作パネル及び現金入出口を備え、前面下部または後面下部には管理者が現金を内部に補給または取り出すための点検扉が設けられている。
ブース１内には、ＡＴＭ２の操作パネル部以外の周囲を覆うプロテクタ部３及びメンテンナス室１Ｂの床全面に敷設されたベースボード部４より構成された盗難防止装置が設けられている。
プロテクタ部３はＡＴＭ２の前部を防護する平面コの字型の前面プロテクタ３Ａと、ＡＴＭ２の後部を防護する平面コの字型の後面プロテクタ３Ｂにて構成され、これらが図    １及び図３に示すように客室１Ａ側とメンテナンス室１Ｂの間の隔壁５を挟んでＡＴＭ２の周囲を防護するように設置される。
前部プロテクタ３Ａと後部プロテクタ３Ｂは、鋼鉄製でバールやタガネ、ハンマー等により容易に破壊されない強度を有している。
【０００９】
また、図２に示すように、ＡＴＭ２の筐体面の周囲には重機等による破壊で筐体が変形しないように補強金具２１及びワイヤーベルト２２が巻かれている。
ベースボード部４は、ベースボード４Ａ、４Ｂ、４Ｃで構成され、それぞれ幅６００ｍｍ、長さ９００ｍｍ、厚さ５ｍｍの鉄板で構成され、出入り口６及びメンテンナス扉７からメンテナンス室１Ｂに搬入することができる。そして、これらをメンテンナス室１Ｂの床に並べるとメンテンス室１Ｂの床全面を覆うことになる。
【００１０】
次に、盗難防止装置の設置方法について説明する。
まず、ベースボード４Ａ、４Ｂ、４Ｃをそれぞれブース１の客室出入口６及びメンテナンス室扉７よりメンテナンス室１Ｂ内に搬入し、図３のようにメンテンナス室の床に並べて設置する。そして、ベースボード４Ａと４Ｂ及び４Ｂと４Ｃはそれぞれ鎹や溶接により接合される。また、ベースボード４Ａ、４Ｂ、４Ｃはブース１の床面にアンカーにて固定される。
【００１１】
次に、ＡＴＭ２を設置する。このときＡＴＭ２の後部はメンテンナス室に設置されるので、ベースボード部４の上に設置されることになる。そして、後部プロテクタ３Ｂをメンテナンス室１Ｃに搬入し、ベースボード４上にＡＴＭ２の後部を取り囲むように設置する。後部プロテクタ３Ｂは３枚の鋼鉄製のプレートにて構成され、搬入後メンテナンス室内で組み立られる。また、後部プロテクタ３Ｂはベースボード部４及びＡＴＭ２の筐体に設置したワイヤーベルト２２と接合され固定される。
次に、ＡＴＭ２の前部即ち客室１Ａ側に前部プロテクタ３Ａが設置され、ＡＴＭ２の筐体に設置したワイヤーベルト２２と固定される。
【００１２】
【発明の効果】
本発明によると、ＡＴＭ等の自動取引装置がプロテクタ及びベースボードによってブース１の床面に強固に固定されるので、建設機械などの重機を使用してブースの前面が破壊されてもＡＴＭ自体が引き出されて破壊されることを防止できる。
【図面の簡単な説明】
【図１】本発明による盗難防止装置が適用された無人店舗の斜視図である。
【図２】ＡＴＭ２と盗難防止装置の分解図である。
【図３】無人店舗の上面から見た平面図である。
【符号の説明】
１・・・ブース
２・・・ＡＴＭ
３・・・プロテクタ
４・・・ベースボード
５・・・隔壁
６・・・出入り口
７・・・メンテナンス室扉
【図１】
2004171059.tif 000003
【図２】
2004171059.tif 000004
【図３】
2004171059.tif 000005